(57)【要約】【課題】魚釣り用スピニングリールにおいて、釣り糸の巻き取り時に案内ローラ上で釣り糸が案内ローラの軸芯方向へ転がり、釣り糸の縒れの原因となっている。本発明は、これを防止して糸縒れが抑制できる構成を提供するものである。【解決手段】ロータの回転に伴って竿先側からスプールに巻き取られる釣り糸が当接して回転するように前記ロータに形成した支持部に支持された案内ローラを備えた魚釣り用リールにおいて、前記案内ローラはその外周面に前記案内ローラの回転軸芯に向かってＶ字状に入り込んだ釣り糸案内周溝を備え、前記釣り糸はその左右側部が前記釣り糸案内周溝の左右両側面に同時接触した状態を保持しつつ前記案内ローラの回転を伴って竿先側から前記スプールの巻取り方向へ方向転換されることを特徴とする魚釣り用リールである。【選択図】　　図１
2004057050.tif 000002
【特許請求の範囲】
【請求項１】
ロータの回転に伴って竿先側からスプールに巻き取られる釣り糸が当接して回転するように前記ロータに形成した支持部に支持された案内ローラを備えた魚釣り用リールにおいて、前記案内ローラはその外周面に前記案内ローラの回転軸芯に向かってＶ字状に入り込んだ釣り糸案内周溝を備え、前記釣り糸案内周溝は、その左右両側面の開き角度θ１が６０°±３°〜６５°±３°の範囲であり、前記釣り糸の左右側部が前記釣り糸案内周溝の左右両側面に同時接触して支えられた状態を保持しつつ前記案内ローラの回転を伴って前記釣り糸を竿先側から前記スプールの巻取り方向へ方向転換することを特徴とする魚釣り用リール。
【請求項２】
ロータの回転に伴って竿先からスプールに巻き取られる釣り糸が当接して回転するように前記ロータに形成した支持部に支持された案内ローラを備えた魚釣り用リールにおいて、前記案内ローラはその外周面に前記案内ローラの回転軸芯に向かって前記釣り糸の太さの５倍以上の深さでＶ字状に入り込んだ釣り糸案内周溝を備え、前記案内ローラの左右両側から前記釣り糸案内周溝の左右周縁部を覆って前記釣り糸案内周溝のＶ字状開口端部の真上又はそれに近く近接する位置へ延びた左右の部材を設け、前記釣り糸はその左右側部が前記釣り糸案内周溝の左右両側面に同時接触して支えられた状態を保持しつつ前記案内ローラの回転を伴って竿先側から前記スプールの巻き取り方向へ方向転換されることを特徴とする魚釣り用リール。
【請求項３】
ロータの回転に伴って竿先からスプールに巻き取られる釣り糸が当接して回転するように前記ロータに形成した支持部に支持された案内ローラを備えた魚釣り用リールにおいて、前記案内ローラは外周面に前記案内ローラの回転軸芯に向かってＶ字状に入り込んだ釣り糸案内周溝を備え、前記案内ローラの回転軸芯は、実質的に使用される長さの釣り糸の前記スプールへの巻き取り径の中間の径位置において、前記釣り糸の左右側部が前記釣り糸案内周溝の左右側面に均等に当接するよう前記スプール側へ向けて傾斜していることを特徴とする魚釣り用リール。
【発明の詳細な説明】
【０００１】
【発明の属する技術分野】
本発明は、魚釣り用リールに関し、特に、魚釣り用スピニングリールにおいて竿先からスプールに巻き取られる釣り糸の案内装置に関する。
【０００２】
【従来の技術】
ロータの回転に伴って竿先からスプールに巻き取られる釣り糸が当接して回転するように前記ロータに形成した支持部に支持された案内ローラを備えた魚釣り用スピニングリールにおいて、釣り糸の巻き取りによって発生する釣り糸の縒れの原因の一つとして、案内ローラ上で釣り糸が案内ローラの軸芯方向へ回転又は転がることが挙げられる。これを防止する発明として、特許第３０５７６３０号のように案内ローラの釣り糸案内外周面の直径を一方の側に向けて順次大径に形成したものや、特開２００１−１７８３３０号のように案内ローラを軸心方向に分割された左右二つの部材間に形成される溝で釣り糸を挟んで案内するようにし、一方の部材をバネで他方の部材に向けて付勢する構成や、特許第３１７６５９３号のように案内ローラの軸心方向の両端又は一端側から案内ローラの中心部に向けて張り出した環状ガイド部を設け、このガイド部によって釣り糸の移動を規制する構成や、実用新案登録第２５３０８２１号のように案内ローラに導かれる釣り糸に当接して釣り糸に制動力を付与することによって、案内ローラ上での釣り糸の回転又は転がりを防止するもの等がある。
【０００３】
これらは何れも、釣り糸が案内ローラを通過するとき、釣り糸の縒れが生じないように釣り糸の回転又は転がりを規制するものである。しかし、特許第３０５７６３０号のものは、使用する釣り糸の太さに応じて案内ローラを取り替える必要があり、使用に際して案内ローラを取り替える面倒さがある。また、特開２００１−１７８３３０号のものは、案内ローラを軸心方向に分割された左右二つの部材で構成し、一方の部材をバネで付勢する手段が必要であり、構造的に複雑である。また、特許第３１７６５９３号のものは、案内ローラに釣り糸が当接する環状ガイド部を形成する複雑な構成となり、また、実用新案登録第２５３０８２１号のものは、釣り糸に制動力を付与するための摩擦部材が案内ローラの他に必要となる。この特許第３１７６５９３号又は実用新案登録第２５３０８２１号ように、釣糸に当接して釣り糸が回転しないように又は転がらないように制御する制御部方式では、制御部を設ける特別な構造が必要となる。
【０００４】
【発明が解決しようとする課題】
本発明は、これらの点に鑑みて、案内ローラの形状の簡素化を図り、かつ釣り糸の回転又は転がりが規制される簡単な構造の釣り糸案内装置を提供するものである。
【０００５】
【課題を解決するための手段】
本発明の魚釣り用リールは、ロータの回転に伴って竿先側からスプールに巻き取られる釣り糸が当接して回転するように前記ロータに形成した支持部に支持された案内ローラを備えた魚釣り用リールにおいて、前記案内ローラはその外周面に前記案内ローラの回転軸芯に向かってＶ字状に入り込んだ釣り糸案内周溝を備え、前記釣り糸案内周溝は、その左右両側面の開き角度θ１が６０°±３°〜６５°±３°であり、前記釣り糸の左右側部が前記釣り糸案内周溝の左右両側面に同時接触して支えられた状態を保持しつつ前記案内ローラの回転を伴って前記釣り糸を竿先側から前記スプールの巻取り方向へ方向転換する構成である。
【０００６】
これによって、釣り糸はその左右側部が釣り糸案内周溝の左右両側面に同時接触して支えられた状態を保持しつつ案内ローラの回転を伴って竿先側からスプールの巻取り方向へ方向転換される。このため、釣り糸が案内ローラの回転に伴って巻き取られるとき、案内ローラ上での釣り糸の位置が安定し、案内ローラ上での釣り糸の回転又は転がりによる釣り糸の縒れを抑制でき、案内ローラ上での釣り糸の回転又は転がりによる釣り糸の縒れを減少できる。そして、スプールに巻いたときに生じる糸縒れの逆向きの縒れを形成できるため、釣り糸の縒れに起因して発生していた釣り糸の絡み等を減少させ、釣り糸の寿命を長くできる効果がある。
【０００７】
また、本発明の魚釣り用リールは、ロータの回転に伴って竿先からスプールに巻き取られる釣り糸が当接して回転するように前記ロータに形成した支持部に支持された案内ローラを備えた魚釣り用リールにおいて、前記案内ローラはその外周面に前記案内ローラの回転軸芯に向かって前記釣り糸の太さの５倍以上の深さでＶ字状に入り込んだ釣り糸案内周溝を備え、前記案内ローラの左右両側から前記釣り糸案内周溝の左右周縁部を覆って前記釣り糸案内周溝のＶ字状開口端部の真上又はそれに近く近接する位置へ延びた左右の部材を設け、前記釣り糸はその左右側部が前記釣り糸案内周溝の左右両側面に同時接触して支えられた状態を保持しつつ前記案内ローラの回転を伴って竿先側から前記スプールの巻き取り方向へ方向転換される構成である。
【０００８】
これによって、釣り糸は釣り糸案内周溝に安定して導入され、且つ釣り糸案内周溝内で左右側部が挟持されて支えられた状態で安定し、釣り糸が釣り糸案内周溝から飛び出ない状態で安定した案内ができる。そして、案内ローラと左右部材との隙間に釣り糸が嵌ることも防止できる。
【０００９】
また本発明の魚釣り用リールは、ロータの回転に伴って竿先からスプールに巻き取られる釣り糸が当接して回転するように前記ロータに形成した支持部に支持された案内ローラを備えた魚釣り用リールにおいて、前記案内ローラは外周面に前記案内ローラの回転軸芯に向かってＶ字状に入り込んだ釣り糸案内周溝を備え、前記案内ローラの回転軸芯は、実質的に使用される長さの釣り糸の前記スプールへの巻き取り径の中間の径位置において、前記釣り糸の左右側部が前記釣り糸案内周溝の左右側面に均等に当接するよう前記スプール側へ向けて傾斜した構成である。
【００１０】
これによって、実質的に使用される長さの釣り糸が釣り糸案内周溝の左右側面にのみ偏ることがなく、釣り糸案内周溝の左右側面に略均等に当接するようになり、釣り糸の転がりがない状態で、竿先からスプールに巻き取られる釣り糸の方向転換が良好となる。
【００１１】
【発明の実施の形態】
本発明は、釣り糸の巻き取り時における案内ローラ上での釣り糸の位置を安定して、案内ローラ上での釣り糸の回転又は転がりを抑制し、釣り糸の回転に起因する縒れを抑制するものである。そして、釣り糸の太さに応じて案内ローラを交換することなく、釣り糸の太さに拘わらず安定した釣り糸の保持が可能であり、釣り糸の巻き取りに伴う案内ローラの回転がスムースに行える釣り糸案内装置を提供するものであり、以下に本発明の実施形態を記載する。
【００１２】
図１乃至図８は本発明の魚釣り用リールの実施形態を示しており、図１は魚釣り用リールの正面図、図２は案内ローラを含む釣り糸案内部の断面図、図３は案内ローラの釣り糸案内周溝と釣り糸との接触状態を示す断面図、図４はスプールに対する案内ローラの配置関係図、図５は部分断面で示す魚釣り用リールの全体側面図、図６は竿先からスプールへ巻き取られる釣り糸の方向転換説明斜視図、図７は案内ローラの釣り糸案内周溝と釣り糸との位置関係状態を示す断面図、図８は竿先からスプールへ巻き取られる釣り糸の方向転換説明側面図である。
【００１３】
以下、本発明の実施形態を図に基づき説明する。図に示す本発明の魚釣り用リール１は、スピニングリールと称されるものであり、リール本体１０には前後方向に延びた主軸６が設けられ、釣り糸４を巻き取るためのスプール３が主軸６の前部に取り付けられて、リール本体１０の前方部にスプール３が位置する。スプール３の周りを回転するように主軸６に回転可能にロータ２が設けられている。これによって、ロータ２とスプール３とは同軸上に保たれる。ロータ２は、手動式の場合はハンドルを回すことによって軸１１に回転可能に設けたドライブギア１２が回転し、また電動式の場合は直流電動機によって円盤状のドライブギア１２が回転し、ドライブギア１２の回転によってドライブギア１２に噛み合ったピ二オンギア１３が回転する。ピ二オンギア１３は、その延長軸部１３Ａがリール本体１０に軸受け１４を介して回転可能に取り付けられ、主軸６に対しても回転可能である。この延長軸部１３Ａにロータ２が固定されていてロータ２がリール本体１０に対して回転可能である。これによって、ドライブギア１２の回転によってピ二オンギア１３が回転し、ピ二オンギア１３の延長軸部１３Ａに取り付けたロータ２が回転する。ロータ２の回転に同期して主軸６が前後方向に往復運動する構成であり、スプール３もそれに伴って前後方向に往復運動する。
【００１４】
ロータ２の回転に伴って竿先からスプール３に巻き取られる釣り糸４が当接して回転するように、ロータ２に形成した支持部５に案内ローラ６０が回転可能に軸支持されている。ロータ２には、主軸６を中心として支持部５と対称位置にもう一つの支持部５Ａが設けられ、両支持部５、５Ａに渡ってベール７が設けられている。両支持部５、５Ａはロータ２に対して軸支持されて回動可能であり、ベール７を、釣り糸４を竿先からスプール３に巻き取る状態（以下、「釣り糸巻き取り状態」という）と、竿を振って釣り糸４の先に取り付けた釣り針や錘を遠方へ投げる、所謂、投擲にて、スプール３に巻かれた釣り糸４が繰り出される状態（以下、「釣り糸繰り出し状態」という）とに回動可能である。
【００１５】
釣り糸繰り出し状態では、ベール７と案内ローラ６０は、スプール３から繰り出される釣り糸４の繰り出し通路外に位置して釣り糸４に接触しない状態をとる。そして、釣り人がベール７と案内ローラ６０を釣り糸巻き取り状態へ回動することによって、ベール７と案内ローラ６０は、スプール３から竿先へ繰り出された釣り糸４の繰り出し通路へ侵入し、それによって、釣り糸４がベール７に接触する。この状態で、釣り糸４を竿先からスプール３に巻き取るために、前記ハンドル又は電動機によってロータ２が釣り糸４の巻き取り方向へ回転することによって、釣り糸４はベール７に接触しつつベール７の湾曲形状に沿って案内ローラ６０へ導かれ、釣り糸４は案内ローラ６０の後述の釣り糸案内周溝２０に導入される。ロータ２が釣り糸４の巻き取り方向へ回転することによってベール７と案内ローラ６０も同じ方向へ回転し、ロータ２の回転に同期して主軸６が前後方向に往復運動するため、スプール３もそれに伴って前後方向に往復運動し、釣り糸４がスプール３に巻き取られる。
【００１６】
案内ローラ６０は、ロータ２に形成した支持部５に軸部２１（軸部の総称）にて回転可能に支持されている。案内ローラ６０は、円筒形状の外周面をなし、その外周面の略中央部に案内ローラ６０の回転軸芯２２に向かって左右両側面２３、２４がＶ字状に入り込んだ釣り糸案内周溝２０を備える。詳細には、釣り糸案内周溝２０の左右両側面２３、２４は、案内ローラ６０の回転軸芯２２に垂直な断面視において直線でＶ字状に交差しており、釣り糸案内周溝２０の向きは、左右両側面２３、２４が形成するＶ字状の二等分線Ｗが回転軸芯２２に直角に交差する向きであるといえる。釣り糸案内周溝２０は、左右両側面２３、２４が交差する最低部２０Ａが案内ローラ６０の回転軸芯２２から直角に延びる一定の半径上に位置する深さに形成されている。
【００１７】
本発明では、潰れない理想的な円形断面の釣り糸４を二点でもって安定的に支える場合は、１２０°間隔の二点支持が好ましいことに着目し、釣り糸案内周溝２０を、その左右両側面２３、２４の開き角度θ１が６０°を基準角として底部２０Ａにおいて交差するＶ字状溝とした。このように、断面円形状の釣り糸４が釣り糸案内周溝２０で安定する好ましい状態は、釣り糸４の中心と左右両側面２３、２４に接触する釣り糸４の左右側部４Ａ、４Ｂとを結ぶ直線のなす内側角θ２が１２０°であり、この場合の左右両側面２３、２４に接触する釣り糸４の左右側部４Ａ、４Ｂにおける左右両側面２３、２４の開き角度θ１は６０°である。これは断面円形状の釣り糸４が潰れない状態での理想的な状態であり、釣り糸４は、その左右側部４Ａ、４Ｂで左右両側面２３、２４によって支えられた状態となり、釣り糸４は、糸案内周溝２０の左右両側面２３、２４の交差底部２０Ａから僅かに浮いた状態となる。
【００１８】
しかし、釣り糸４は完全な円形断面形状ではなく、また、釣り糸４は弾力性を持っていることによって釣り糸案内周溝２０内で若干潰れる。この潰れた状態においても、潰れない理想的な円形断面の釣り糸４を前記１２０°を基準角θ２として支える場合と同様の機能と効果が得られる接触となるように、釣り糸案内周溝２０の左右両側面２３、２４の開き角度θ１を設定すればよい。実際上、釣り糸４が釣り糸案内周溝２０内で潰れることによって、１２０°の内側角θ２は小さくなる。
【００１９】
実験的には、太さ、即ち直径が０．１５ｍｍ〜０．２ｍｍの通常使用される略円形断面の釣り糸４においては、釣り糸４の弾力性によって若干潰れる状態となり、角度θ２は略１１５°となる。この場合、釣り糸案内周溝２０の開き角度θ１を略６５°に設定すれば、釣り糸４の直径よりも小さい弦（例えば、左右側部４Ａ、４Ｂを結ぶ直線）に対応する左右側部４Ａ、４Ｂが、釣り糸案内周溝２０の左右両側面２３、２４に同時接触しつつ支えられた状態となり、釣り糸４が釣り糸案内周溝２０内で安定に保持された好ましい結果が得られる。
【００２０】
即ち、潰れない理想的な円形断面の釣り糸４では、基準角θ２が１２０°のとき、釣り糸案内周溝２０の開き角度θ１は６０°であるが、上記のように、釣り糸４は弾力性を持っていることによって若干潰れる状態となるため、釣り糸４が若干潰れても同様の作用を得るために、角度θ２が１１５°となる場合には、角度θ１を６５°に設定すればよい。釣り糸４の種類によって、その潰れ具合が若干異なるため、実質的に各種の釣り糸４に適応させるためには、釣り糸案内周溝２０の開き角度θ１を６５°±３°とすることによって本発明の目的が達成されるが、太さ、即ち、直径が０．１５ｍｍ〜０．２ｍｍの通常使用される略円形断面の釣り糸４においては、６５°±１°でも十分な効果が得られる。
【００２１】
したがって、使用する釣り糸４の種類に適合させるために角度θ２が変化する場合には、それに応じて角度θ１を設定した釣り糸案内周溝２０を有する案内ローラ６０を採用すればよい。このようにすることによって、釣り糸４がその弾力性によって釣り糸案内周溝２０内で若干潰れても、潰れない理想的な円形断面で接触する釣り糸４の場合の角度（基準角）θ２が１２０°のとき、即ち、釣り糸案内周溝２０の開き角度θ１が６０°のときと同様の作用によって、釣り糸４を安定的に案内ローラ６０によって誘導することができる。
【００２２】
上記の構成によって本発明の目的は達成されるが、更に、使用する釣り糸４の種類に応じて角度θ２が１２０°〜１１５°の範囲を若干超える場合には、それに応じて角度θ１を６０°〜６５°を若干超える範囲に設定した釣り糸案内周溝２０を有する案内ローラ６０を採用すればよい。このため、角度θ２を１２０±３°〜１１５°±３°の範囲とし、それに応じた角度θ１を６０°±３°〜６５°±３°とすることによって、種類の異なる各種の釣り糸４に適応させることができる。
【００２３】
このように、潰れない理想的な円形断面の釣り糸４の左右側部４Ａ、４Ｂが、Ｖ字状の釣り糸案内周溝２０の左右両側面２３、２４に同時接触したときに形成されるところの、この接触部相互のなす内側角θ２が１２０°のとき、即ち、釣り糸案内周溝２０の開き角度θ１が６０°のときと同様の機能が得られる接触となるように、釣り糸案内周溝の左右両側面の開き角度に形成したものである。実質的には、釣り糸案内周溝２０の左右両側面２３、２４の開き角度θ１は、狭過ぎても釣り糸４が釣り糸案内周溝２０に嵌り過ぎてスプール３への巻き取り抵抗が大きく問題であり、一方、あまり広過ぎても左右両側面２３、２４と釣り糸４との接触不良となり安定しない。このため、釣り糸案内周溝２０の左右両側面２３、２４の開き角度θ１は、略６０°±３°〜６５°±３°の範囲、即ち、略５７°〜６８°の範囲に形成することによって、釣り糸４の左右側部４Ａ、４Ｂが釣り糸案内周溝２０の左右両側面２３、２４に同時接触しつつ、釣り糸４は若干潰れた状態でもって、釣り糸４が釣り糸案内周溝２０の最低部２０Ａから浮いた状態で支えられ、釣り糸４が釣り糸案内周溝２０内で安定保持される好ましい結果を得ることができる。
【００２４】
本発明において、釣り糸４は、竿先からスプール３に至る間に釣り糸案内周溝２０の略四分の一周のＰ範囲で釣り糸案内周溝２０に入り込みつつ、案内ローラ６０の回転に伴って順次竿先からスプール３に巻き取られる。釣り糸案内周溝２０内での釣り糸４は、図３に示すように、釣り糸４の直径よりも小さい弦に対応する左右側部４Ａ、４Ｂが、釣り糸案内周溝２０の左右両側面２３、２４に同時接触しつつ支えられ、釣り糸４が釣り糸案内周溝２０内で安定保持された状態である。
【００２５】
また、本発明では、案内ローラ６０の軸芯２２に沿って案内ローラ６０の左右両側を覆い、案内ローラ６０の左右両側から釣り糸案内周溝２０のＶ字状開口端部に近接する位置へ延びて釣り糸案内周溝２０の外方の円筒状の周縁部２５を覆うカバー部２８、３４をそれぞれ有する部材２６、２７を設けている。カバー部２８、３４は釣り糸案内周溝２０の左右の円筒状の周縁部２５を全周で覆う。これら部材２６、２７の一方の部材２７には、ベール７の一端が取り付けられていて、部材２７のカバー部２８の外周面は、釣り糸案内周溝２０の入り口であるＶ字状開口端部（側面２４と周縁部２５との交差部）に近接する位置へ向けて低く傾斜して、この部分が釣り糸誘導周面２８を形成する。部材２６の外周面であるカバー部３４も釣り糸誘導周面２８と同様の傾斜周面形状である。
【００２６】
本発明は、案内ローラ６０の釣り糸案内周溝２０をＶ字状の円周溝に形成し、その開き角度を所定の範囲とすることによって、糸縒れを抑制するものであるため、ベール７に沿って誘導される釣り糸４は、カバー部２８から釣り糸案内周溝２０へスムースに移動するのが好ましい。このため、カバー部２８の傾斜先端２７Ａが釣り糸案内周溝２０上に被さる場合には、釣り糸繰り出し状態において釣り糸４がこの被さった部分に引っかかる恐れがあり、好ましくない。
【００２７】
ベール７に沿って誘導される釣り糸４は、カバー部２８から釣り糸案内周溝２０へスムースに移動し、周縁部２５に載ってそこで停滞しないことが望ましい。このため、カバー部２８の傾斜先端２７Ａは、釣り糸案内周溝２０の入り口であるＶ字状開口端部（側面２４と周縁部２５との交差部）の真上に位置するのがよいが、各部品の製造誤差や組立て誤差等を考慮すると、釣り糸案内周溝２０の外側からカバー部２８の傾斜先端２７Ａが、釣り糸案内周溝２０のＶ字状開口端部（側面２４と周縁部２５との交差部）の真上位置に出来るだけ近接する構成が好ましい。釣り糸案内周溝２０のＶ字状開口端部（側面２４と周縁部２５との交差部）の真上又はそれに近く近接する具体例として、数字的には、０ｍｍ〜０．２ｍｍの範囲に近接していることによってそれは達成される。
【００２８】
一方、部材２６が釣り糸案内周溝２０の外方の円筒状の周縁部２５を覆うカバー部３４の外周面も、釣り糸案内周溝２０の入り口であるＶ字状開口端部（側面２３と周縁部２５との交差部）、即ち外周縁に向けて低く傾斜した傾斜面を形成している。部材２７の釣り糸誘導周面２８と同様の傾斜周面形状によって、釣り糸案内周溝２０が左右対称形状となり、デザイン的な効果も向上する。カバー部３４についても、カバー部２８と同様に釣り糸案内周溝２０の外側からカバー部３４の傾斜先端２６Ａが、釣り糸案内周溝２０の入り口（外周縁）に近接するように、釣り糸案内周溝２０の入り口（外周縁）の真上位置乃至それに近く近接する位置まで近接するように構成している。その具体例として、数字的には、０ｍｍ〜０．２ｍｍの範囲に近接していることによってそれは達成される。
【００２９】
カバー部２８、３４と釣り糸案内周溝２０の位置関係は、カバー部２８、３４の傾斜先端２７Ａ、２６Ａ相互間の中心に釣り糸案内周溝２０の中心が位置するように構成されている。そして、案内ローラ６０の左右両側から釣り糸案内周溝２０の左右周縁部を覆う左右の部材２６、２７は、釣り糸案内周溝２０のＶ字状開口端部に近接する位置へ延びている。このため、案内ローラ６０の左右の部材２６、２７間に形成される釣り糸案内周溝２０は、上記のようなＶ字状の溝のみによって形成できる簡単な構成となる。
【００３０】
部材２７は、案内ローラホルダーとも称し、部材２７の中央部から支持部５へ向けて延びた筒部２９に取り付けた転がり軸受け３０によって案内ローラ６０を回転可能に保持している。このため、筒部２９は案内ローラ６０が支持部５に回転可能に支持される軸部２１となる部分である。また一方の部材２６は案内ローラカバーとも称し、その中央部には部材２７の筒部２９へ向けて延びた筒部３１が形成されている。
【００３１】
一方の部材２６は、支持部５に基部が覆われる状態で支持部５に組み合わされていて、支持部５側に頭部３３を有する止めネジ３２が、支持部５、部材２６及び部材２７の筒部２９を貫通して部材２７のネジ部に螺合することによって、筒部２９、３１の先端相互が当接し、この状態において、案内ローラ６０は、軸部２１を形成する筒部２９に転がり軸受け３０を介して支持部５に回転可能に支持された状態である。
【００３２】
上記のように、釣り糸４の左右側部４Ａ、４ＢがＶ字状の釣り糸案内周溝２０の左右両側面２３、２４に同時接触する、所謂、左右２点支持であるため、釣り糸４による負荷は、案内ローラ６０の回転軸芯２２に対して直角方向の負荷となる。このため、この回転軸芯２２を中心に取り付けた転がり軸受け３０により、案内ローラ６０に無理な力が作用せず、釣り糸４の抵抗も軽減され、釣り糸４に傷をつけることもなく、また釣り糸巻き取り力が低下することもない。
【００３３】
部材２６が釣り糸案内周溝２０の円筒状の周縁部２５を覆うカバー部３４の外周面は、釣り糸案内周溝２０の入り口、即ち外周縁に向けて低く傾斜した傾斜面を形成している。カバー部３４の外周面が、部材２７の釣り糸誘導周面２８と同様の傾斜周面形状によって、釣り糸案内周溝２０の外周縁部の構成が左右対称形状となり、デザイン的な効果が向上する。
【００３４】
支持部５の先端部と、案内ローラ６０、ベール７、部材２６、部材２７、転がり軸受け３０及び止めネジ３２によって、支持部５の先端部には釣り糸案内部４０を構成する。支持部５、５Ａはロータ２に対して回動可能に軸支持されており、ベール７を釣り糸４の巻き取り位置と、釣り糸４をスプール３から繰り出す繰り出し位置とに回動操作される。この回動操作に伴って、釣り糸案内部４０全体が回動する。
【００３５】
釣り糸４が、案内ローラ６０上で回転しない又は転がらないためには、釣り糸４の左右側部４Ａ、４Ｂが釣り糸案内周溝２０の左右側面２３、２４に均等に当接した状態が保たれることが好ましい。本発明では、釣り糸案内周溝２０の左右側面２３、２４がＶ字状をなすため、釣り糸４が、釣り糸案内周溝２０に案内されて案内ローラ６０をＰの範囲で巡る間に釣り糸案内周溝２０の狭い底方向へ引っ張られる。このため、釣り糸４の左右側部４Ａ、４Ｂが釣り糸案内周溝２０の左右側面２３、２４に強く当接した状態が保たれ、釣り糸４が、釣り糸案内周溝２０内で若干潰れた状態を保持しつつ回転又は転がることが防止される。
【００３６】
このように、本発明の魚釣り用リール１においては、案内ローラ６０はその外周面に案内ローラ６０の回転軸芯２２に向かってＶ字状に入り込んだ釣り糸案内周溝２０を備え、釣り糸案内周溝２０の左右両側には釣り糸案内周溝２０の左右周縁部を覆う左右の部材２６、２７が設けられ、釣り糸案内周溝２０の左右両側面２３、２４は、案内ローラ６０の回転軸芯２２に垂直な断面視において左右の部材２６、２７の内側端部２６Ａ、２７Ａに向けてＶ字状に開いた直線形状をなし、釣り糸４は、その左右側部の下側４Ａ、４Ｂが釣り糸案内周溝２０の左右両側面２３、２４に同時接触して若干潰れたそのままの状態を保持しつつ、即ち、釣り糸案内周溝２０内での釣り糸４の転がりと滑りもなく、釣り糸４の巻き取りに伴う案内ローラ６０の回転に伴って巻き取られる構成である。
【００３７】
釣り糸４の巻き取り時には、釣り糸４は、案内ローラ６０によって竿先側からスプール３の釣り糸巻き取り周面方向へ略９０°方向転換される。これによって釣り糸４は、リール１の前後方向から左右方向へ方向転換されることになる。
【００３８】
釣り糸４が、案内ローラ６０上で回転しない又は転がらない状態で、案内ローラ６０によって竿先側からスプール３の釣り糸巻き取り周面方向へ無理なく方向転換されることが好ましい。本発明では、主軸６と案内ローラ６０とが重なる平面視において、案内ローラ６０の回転軸芯２２と主軸６の軸芯６Ａとのなす角度θ３は９０°が基準である。実施例では、θ３は９０°である。そして、案内ローラ６０の回転軸芯２２は、魚釣り用リール１の正面視において、ベール７側、即ち、部材２７側がスプール３へ向けて近づくように傾斜している。その傾斜角度は、９０°よりも大きく１８０°よりも小さな角度θ５で傾斜しており、実施形態では、このθ５は略１２０°である。
【００３９】
これによって、ベール７を釣り糸巻き取り状態に回動させて釣り糸４を巻き取るとき、ベール７に沿って誘導される釣り糸４は、釣り糸誘導周面２８から釣り糸案内周溝２０へスムースに移動し、釣り糸案内周溝２０の左右両側面２３、２４に同時接触した状態で安定する。
【００４０】
釣り糸４が、案内ローラ６０を巡る範囲Ｐの全体で釣り糸案内周溝２０の左右側面２３、２４に均等に当接するのが理想的であるが、案内ローラ６０の回転軸芯２２は支持部５に固定状態であるため、その理想状態に近づけるために、この傾斜角度θ５が形成されている。これによって、竿先側から釣り糸案内周溝２０に導入される釣り糸４の左右側部は、釣り糸案内周溝２０の左右側面２３、２４に当接する。
【００４１】
一方、釣り糸案内周溝２０からスプール３側へ出る部分では、スプール３に巻き取られる釣り糸４の巻き取り径によって、釣り糸４が案内ローラ６０から離れる部分において、釣り糸案内周溝２０に対する釣り糸４の接触状態が変わる。図１のように、釣り糸４の巻き取り径が小さい場合は４Ａの状態となって、釣り糸４は釣り糸案内周溝２０の一方の側面２４側へ寄り、また、釣り糸４の巻き取り径が大なる場合は４Ｂの状態となって、釣り糸４は釣り糸案内周溝２０の他方側面２３側へ寄る。このため、釣りを行う場合に実質的に使用される長さの釣り糸４がスプール３に巻き取られる糸巻き量Ｔの中間、例えば、糸巻き量Ｔの二分の一の位置５０において、釣り糸４の左右側部４Ａ、４Ｂが釣り糸案内周溝２０の左右側面２３、２４に均等に当接するように設定している。この釣り糸案内周溝２０の中心からスプール３に巻き取られる糸巻き量Ｔの中間の位置５０へ延びる線５１は、釣り糸４が釣り糸案内周溝２０から離れる位置からスプール３に巻き取られる糸巻き量Ｔの中間の位置５０へ延びた接線である。このために、釣り糸案内周溝２０からスプール３に巻き取られる糸巻き量Ｔの中間の位置５０へ延びる線５１と案内ローラ６０の回転軸芯２２とのなす角度θ４は９０°を基準としている。実施形態では、位置５０は糸巻き量Ｔの半分であり、角度θ４は９０°である。
【００４２】
このような角度θ４、θ５の設定によって、釣り糸４は、案内ローラ６０を巡る間に釣り糸案内周溝２０の左右側面２３、２４に当接して回転又は転がりのない状態に維持される。
【００４３】
一般的に、スピニングリールにおいて、釣り糸は、竿先側からスピニングリールに向かう方向から案内ローラによって略９０°方向転換されてスプールへ巻き取られる。このスプールに巻かれた釣り糸が繰り出されるとき、釣り糸はスパイラル状となる。このスパイラルは、スプールに一回巻かれる毎に一回の割合で生じるが、この釣り糸を引き伸ばして見ると、釣り糸自体にはスパイラルの方向とは逆向きの縒れが生じている。
【００４４】
本発明は、このような糸縒れとは逆の縒れを与えて釣り糸全体の縒れを抑制するものである。次に、釣り糸４が案内ローラ６０によって案内されるときの釣り糸４の保持状態と、釣り糸４の巻き取り状態を図６乃至図８に基づき説明する。この実施形態は、リール１の正面視においてロータ２が右回りに回転するタイプを採用している。釣り糸４は、巻き取り時には竿先から案内ローラ６０へ向かって矢印Ｑ方向へ巻き取られる。このとき、図７はリール１の正面視、即ち、竿先側から見た案内ローラ６０の縦断面であり、図示のように釣り糸４の左右側部Ａ、Ｄと上下部Ｂ、Ｃは、案内ローラ６０によって図６のようにリール１の正面視で横方向へ転換されてスプール３に巻き取られることにより、Ａ部はスプール３上では上部となり、Ｂ部はスプール３上では後横部となり、Ｃ部はスプール３上では前横部となり、Ｄ部はスプール３上では下部となる。
【００４５】
このような方向転換が行われる状態において、ロ−タ２がスプール３の周りを１回転するとき、即ち、案内ローラ６０がスプール３の周りを１回転することによって、釣り糸４は右方向への自転が与えられる。この自転は、案内ローラ６０がスプール３の周りを１回転する、所謂、１回の公転で１回の自転が生じる。この自転は釣り糸４への縒れである。この釣り糸４の縒れは、前記スパイラル状の糸縒れに対して逆向きの縒れが与えられたことになる。
【００４６】
本発明では、上記のように、竿先から案内ローラ６０を通ってスプール３へ移動する釣り糸４は、その左右側部の下側４Ａ、４Ｂが釣り糸案内周溝２０の左右両側面２３、２４に同時接触して若干潰れたそのままの状態を保持しつつ、即ち、釣り糸案内周溝２０内での釣り糸４の転がり（又は回転）と滑りもなく、前後方向（竿先方向）から横方向（スプール３への巻き取り方向）へ方向転換されつつスプール２３に巻き取られる。それによって、前記スパイラル状の糸縒れに対して逆向きの縒れが与えられ、ベール７を釣り糸繰り出し状態に回動させてスプール３から釣り糸４を繰り出したとき、案内ローラ６０を通ることによる逆縒れが前記スパイラル状の糸縒れを相殺し、繰り出された釣り糸４の糸縒れがない状態、または糸縒れが少ない状態にすることができる。
【００４７】
本発明の実施例として、太さ、即ち直径が０．１５ｍｍ〜０．２ｍｍの釣り糸４の使用において、好ましい案内が達成できた案内ローラ６０の一つの形状は、転がり軸受け３０及び止めネジ３２を設けることを考慮して、案内ローラ６０釣り糸案内周溝２０の左右両側面２３、２４の開き角度θ１を６５°に設定し、案内ローラ６０の直径を１０．８ｍｍ、回転軸芯２２方向の厚さが４．５ｍｍ、釣り糸案内周溝２０の深さが１．４ｍｍである。これによって、竿先からスプール３へ巻き取られる釣り糸４は、案内ローラ６０によって竿先方向からスプール３方向へ略９０°向きを変えることがスムースに行えると共に、釣り糸案内部４０を小型化できる。
【００４８】
この実施例のように、案内ローラ６０は、円筒状の外周面にＶ字状の釣り糸案内周溝２０が形成され、その円筒状の外径に対して左右の厚さが二分の一以下であり、Ｖ字状の釣り糸案内周溝２０の深さは１．４ｍｍ±０．３ｍｍである。この釣り糸案内周溝２０の深さは、釣り糸４の太さ又は直径の５倍以上である。これによって、釣り糸４は釣り糸案内周溝２０に安定して導入され、且つ釣り糸案内周溝２０内で左右側部が挟持されて安定し、釣り糸４が釣り糸案内周溝２０から飛び出ない状態で安定した案内ができる。そして、案内ローラ６０と左右部材２６、２７との隙間に釣り糸４が嵌ることも防止できる。釣り糸案内周溝２０の深さは、適用される釣り糸４の太さにもよるが、適用される最も小さい太さの釣り糸４に対しても１５倍以下であれば広く適用できるため、釣り糸案内周溝２０の深さは、最も小さい太さの釣り糸４の太さ又は直径の５倍以上１５倍以下であれば、実用として好ましいものとなる。
【００４９】
本発明では、上記のように、案内ローラ６０の左右両側から釣り糸案内周溝２０の左右周縁部を覆う左右の部材２６、２７が、釣り糸案内周溝２０のＶ字状開口端部に近接する位置へ延び、案内ローラ６０の左右の部材２６、２７間に形成される釣り糸案内周溝２０が、上記のようなＶ字状の溝を形成することによって構成が簡単にして効果大なるものとなり、種々の発明でなされているような複雑な形状の釣り糸案内周溝や構成とする必要もなくなる。また、部材２６の部分を支持部５に一体形成することにより、部品数を低減することもできる。
【００５０】
上記実施形態のリール１は、リール１の正面視においてロータ２が右回りに回転するタイプであるが、リール１の正面視においてロータ２が左周りに回転するタイプのリールを採用する場合には、上記実施形態の構成とは対称形に構成することによって同様の機能と効果が達成できるリールとすることができる。
【００５１】
本発明は上記実施形態に限定されるものではなく、特許請求の範囲を逸脱しない部分における種種の実施形態を包含するものである。
【００５２】
【発明の効果】
本発明によれば、釣り糸はその左右側部が釣り糸案内周溝の左右両側面に同時接触して支えられた状態を保持しつつ案内ローラの回転を伴って竿先側からスプールの巻取り方向へ方向転換される。このため、釣り糸が案内ローラの回転に伴って巻き取られるとき、案内ローラ上での釣り糸の位置が安定し、案内ローラ上での釣り糸の回転又は転がりによる釣り糸の縒れを抑制できる。そして、従来スプールに巻いたときに生じた糸縒れの逆向きの縒れを形成できるため、釣り糸の縒れに起因して発生していた釣り糸の絡み等を減少させ、釣り糸の寿命を長くできる効果がある。このように、釣り糸案内周溝をシンプル形状とした案内ローラによって優れた効果を奏することができる。
【００５３】
また、釣り糸の左右側部が釣り糸案内周溝の左右両側面に同時接触したときに形成されるこの接触部相互のなす内側角を１２０°を基準角としたときと同様の機能が得られる接触となるように、釣り糸案内周溝の左右両側面の開き角度にした構成によって、断面略円形状の釣り糸の左右側部が釣り糸案内周溝の左右両側面に同時接触して支えられつつ、若干潰れた状態でも釣り糸案内周溝内で安定保持される。
【図面の簡単な説明】
【図１】本発明の魚釣り用リールの正面図である。
【図２】本発明の案内ローラを含む釣り糸案内部の断面図
【図３】本発明の案内ローラの釣り糸案内周溝と釣り糸との接触状態を示す断面図である。
【図４】本発明のスプールに対する案内ローラの配置関係図である。
【図５】本発明の部分断面で示す魚釣り用リールの全体側面図である。
【図６】本発明の魚釣り用リールにおける竿先からスプールへ巻き取られる釣り糸の方向転換説明斜視図である。
【図７】本発明の案内ローラの釣り糸案内周溝と釣り糸との位置関係状態を示す断面図である。
【図８】本発明の魚釣り用リールにおける竿先からスプールへ巻き取られる釣り糸の方向転換説明側面図である。
【符号の説明】
１……魚釣り用リール
２……ロータ
３……スプール
４……釣り糸
６……主軸
７……ベール
１０……リール本体
２０……釣り糸案内周溝
２１……軸部
２２……回転軸芯
２３、２４……釣り糸案内周溝の左右側面
２５……円筒状の周縁部
２６、２７……案内ローラの両側部材
２８、３４……カバー部
３０……転がり軸受け
２９、３１……筒部
３２……止めネジ
６０……案内ローラ
【図１】
2004057050.tif 000003
【図２】
2004057050.tif 000004
【図３】
2004057050.tif 000005
【図４】
2004057050.tif 000006
【図５】
2004057050.tif 000007
【図６】
2004057050.tif 000008
【図７】
2004057050.tif 000009
【図８】
2004057050.tif 000010